(57)【要約】【課題】  業務を煩雑化することなく、良好なセキュリティ性を確保可能とする添付物を伴う電子申請データの管理システムを提供する。【解決手段】  入力端末より申請データの入力を受け付ける申請データチェック部１０３と、申請データに対し申請データ毎の鍵による電子署名を行って電子署名データを生成する電子署名データ作成部１０５と、電子署名データを２次元コード化する２次元コード生成部１０９と、申請データおよび電子署名データを申請データベースに格納する申請データ格納部１０４と、２次元コードを含む申請データの受付結果を入力端末に送信する受付結果送信部１０６と、添付物より２次元コードリーダが読み取った電子署名データを２次元コードリーダより取得する２次元コード取得部１１０と、２次元コード取得部が取得した電子署名データを該当申請データの鍵で復号化できるか判定し添付物と申請データとの関連性を確認する関連確認部１０７と、関連確認部による確認の結果を出力インターフェイスに出力する出力部１１２とを備える。【選択図】    図１
2005173975.tif 000002
【特許請求の範囲】
【請求項１】
添付物を伴う電子申請データの管理システムであって、
申請データの入力端末より申請データの入力を受け付ける申請データチェック部と、
申請データに対し、申請データ毎の鍵による電子署名を行って、電子署名データを生成する電子署名データ作成部と、
前記電子署名データを２次元コード化する２次元コード生成部と、
申請データおよび電子署名データを、申請データベースに格納する申請データ格納部と、
２次元コードを含む申請データの受付結果を、前記入力端末に送信する受付結果送信部と、
２次元コード化された電子署名データが付された添付物より２次元コードリーダが読み取った電子署名データを、前記２次元コードリーダより取得する２次元コード取得部と、
前記２次元コード取得部が取得した電子署名データを、該当申請データの鍵で復号化できるか判定し、添付物と申請データとの関連性を確認する関連確認部と、
前記関連確認部による確認の結果を、出力インターフェイスに出力する出力部と、
を備えたことを特徴とする、添付物を伴う電子申請データの管理システム。
【請求項２】
請求項１において、
前記２次元コードリーダより取得した電子署名データを、該当申請データの鍵で復号化して、電子署名データに含まれる申請データのハッシュ値を抽出する復号化部と、
前記申請データベースにおいて前記添付物に対応する申請データを抽出して、当該申請データのハッシュ値を計算し、当該ハッシュ値と前記復号化部が抽出したハッシュ値とが同一か判定する改ざん検証部と、
前記改ざん検証部の判定の結果を出力インターフェイスに出力する出力部と、
を備えたことを特徴とする添付物を伴う電子申請データの管理システム。
【請求項３】
添付物を伴う電子申請データの管理システムであって、
申請データの入力端末より、当該入力端末が添付物または添付物提出書の記載情報に対し、対応する申請データ毎の鍵による電子署名を行って生成した電子署名データ、対応する申請データ、および添付物または添付物提出書に付帯のＩＣチップのチップＩＤを受け付ける申請データチェック部と、
前記申請データおよび電子署名データと、前記チップＩＤとの紐付けを行って、申請データベースに格納する申請データ格納部と、
申請データの受付結果を、前記入力端末に送信する受付結果送信部と、
電子署名データがＩＣチップに格納された添付物または添付物提出書よりＩＣチップリーダが読み取った電子署名データを、前記ＩＣチップリーダより取得する電子署名データ取得部と、
前記電子署名データ取得部が取得した電子署名データを、対応する申請データの鍵で復号化できるか判定し、添付物と申請データとの関連性を確認する関連確認部と、
前記関連確認部による確認の結果を、出力インターフェイスに出力する出力部と、
を備えたことを特徴とする、添付物を伴う電子申請データの管理システム。
【請求項４】
請求項３において、
前記ＩＣチップリーダより取得した電子署名データを、該当申請データの鍵で復号化して、電子署名データに含まれる申請データのハッシュ値を抽出する復号化部と、
前記申請データベースにおいて、前記チップＩＤをキーとして添付物に対応する申請データを抽出し、当該申請データのハッシュ値を計算し、当該ハッシュ値と前記復号化部が抽出したハッシュ値とが同一か判定する改ざん検証部と、
前記改ざん検証部の判定の結果を出力インターフェイスに出力する出力部と、
を備えたことを特徴とする添付物を伴う電子申請データの管理システム。
【請求項５】
添付物を伴う電子申請データの管理方法であって、
申請データの入力端末より申請データの入力を受け付けるステップと、
申請データに対し、申請データ毎の鍵による電子署名を行って、電子署名データを生成するステップと、
前記電子署名データを２次元コード化するステップと、
申請データおよび電子署名データを、申請データベースに格納するステップと、
２次元コードを含む申請データの受付結果を、前記入力端末に送信するステップと、
２次元コード化された電子署名データが付された添付物より２次元コードリーダが読み取った電子署名データを、前記２次元コードリーダより取得するステップと、
前記取得した電子署名データを、該当申請データの鍵で復号化できるか判定し、添付物と申請データとの関連性を確認するステップと、
前記確認の結果を、出力インターフェイスに出力するステップと、
を備えたことを特徴とする、添付物を伴う電子申請データの管理方法。
【請求項６】
添付物を伴う電子申請データの管理方法であって、
申請データの入力端末より、当該入力端末が添付物または添付物提出書の記載情報に対し、対応する申請データ毎の鍵による電子署名を行って生成した電子署名データ、対応する申請データ、および添付物または添付物提出書に付帯のＩＣチップのチップＩＤを受け付けるステップと、
前記申請データおよび電子署名データと、前記チップＩＤとの紐付けを行って、申請データベースに格納するステップと、
申請データの受付結果を、前記入力端末に送信するステップと、
電子署名データがＩＣチップに格納された添付物または添付物提出書よりＩＣチップリーダが読み取った電子署名データを、前記ＩＣチップリーダより取得するステップと、
前記取得した電子署名データを、対応する申請データの鍵で復号化できるか判定し、添付物と申請データとの関連性を確認するステップと、
前記確認の結果を、出力インターフェイスに出力するステップと、
を備えたことを特徴とする、添付物を伴う電子申請データの管理方法。
【発明の詳細な説明】
【技術分野】
【０００１】
本発明は、添付物を伴う電子申請データの管理システム、添付物を伴う電子申請データの管理方法に関する。
【背景技術】
【０００２】
自治体等における電子申請が実用段階に入りつつある。電子申請処理のシステムとしては例えば、ユーザ側に配置され、通信回線上に送出された申請書類データをサーバ装置に取り込ませて申請処理を行わせる電子申請システムにおける端末装置であって、前記サーバ装置に申請書類データを送信するとき、前記申請書類データに対応する添付書類データの送信を開始させる送信手段、を備えたことを特徴とする電子申請システムにおける端末装置（特許文献１参照）などが提案されている。
【特許文献１】特開２００２−２７９１２８号公報
【発明の開示】
【発明が解決しようとする課題】
【０００３】
しかしながら、申請に必要となる添付物が紙などの媒体である業務については電子化の見通しがたちにくい。申請のみ電子化したとしても、後日提出される媒体での添付物と申請データの紐付けが難しく、受け取る自治体側での処理が煩雑となるといった課題が残されているためである。また申請者本人による添付物提出かどうか、バーコード等を用いた従来技術を適用して照合したとしても、バーコード自体が改ざんされる可能性があるといったセキュリティ面での問題もある。
【０００４】
そこで本発明は上記課題を鑑みてなされたものであり、業務を煩雑化することなく、良好なセキュリティ性を確保可能とする添付物を伴う電子申請データの管理システムおよび方法を提供することを主たる目的とする。
【課題を解決するための手段】
【０００５】
上記課題を解決する本発明の添付物を伴う電子申請データの管理システムは、申請データの入力端末より申請データの入力を受け付ける申請データチェック部と、申請データに対し、申請データ毎の鍵による電子署名を行って、電子署名データを生成する電子署名データ作成部と、前記電子署名データを２次元コード化する２次元コード生成部と、申請データおよび電子署名データを、申請データベースに格納する申請データ格納部と、２次元コードを含む申請データの受付結果を、前記入力端末に送信する受付結果送信部と、２次元コード化された電子署名データが付された添付物より２次元コードリーダが読み取った電子署名データを、前記２次元コードリーダより取得する２次元コード取得部と、前記２次元コード取得部が取得した電子署名データを、該当申請データの鍵で復号化できるか判定し、添付物と申請データとの関連性を確認する関連確認部と、前記関連確認部による確認の結果を、出力インターフェイスに出力する出力部と、を備えたことを特徴とする。
【０００６】
また、添付物を伴う電子申請データの管理システムであって、申請データの入力端末より、当該入力端末が添付物または添付物提出書の記載情報に対し、対応する申請データ毎の鍵による電子署名を行って生成して電子署名データ、対応する申請データ、および添付物または添付物提出書に付帯のＩＣチップのチップＩＤを受け付ける申請データチェック部と、前記申請データおよび電子署名データと、前記チップＩＤとの紐付けを行って、申請データベースに格納する申請データ格納部と、申請データの受付結果を、前記入力端末に送信する受付結果送信部と、電子署名データがＩＣチップに格納された添付物または添付物提出書よりＩＣチップリーダが読み取った電子署名データを、前記ＩＣチップリーダより取得する電子署名データ取得部と、前記電子署名データ取得部が取得した電子署名データを、対応する申請データの鍵で復号化できるか判定し、添付物と申請データとの関連性を確認する関連確認部と、前記関連確認部による確認の結果を、出力インターフェイスに出力する出力部と、を備えたことを特徴とする、添付物を伴う電子申請データの管理システムにかかる。
【０００７】
また、添付物を伴う電子申請データの管理方法であって、申請データの入力端末より申請データの入力を受け付けるステップと、申請データに対し、申請データ毎の鍵による電子署名を行って、電子署名データを生成するステップと、前記電子署名データを２次元コード化するステップと、申請データおよび電子署名データを、申請データベースに格納するステップと、２次元コードを含む申請データの受付結果を、前記入力端末に送信するステップと、２次元コード化された電子署名データが付された添付物より２次元コードリーダが読み取った電子署名データを、前記２次元コードリーダより取得するステップと、前記取得した電子署名データを、該当申請データの鍵で復号化できるか判定し、添付物と申請データとの関連性を確認するステップと、前記確認の結果を、出力インターフェイスに出力するステップと、を備えたことを特徴とする、添付物を伴う電子申請データの管理方法にかかる。
【０００８】
また、添付物を伴う電子申請データの管理方法であって、申請データの入力端末より、当該入力端末が添付物または添付物提出書の記載情報に対し、対応する申請データ毎の鍵による電子署名を行って生成して電子署名データ、対応する申請データ、および添付物または添付物提出書に付帯のＩＣチップのチップＩＤを受け付けるステップと、前記申請データおよび電子署名データと、前記チップＩＤとの紐付けを行って、申請データベースに格納するステップと、申請データの受付結果を、前記入力端末に送信するステップと、電子署名データがＩＣチップに格納された添付物または添付物提出書よりＩＣチップリーダが読み取った電子署名データを、前記ＩＣチップリーダより取得するステップと、前記取得した電子署名データを、対応する申請データの鍵で復号化できるか判定し、添付物と申請データとの関連性を確認するステップと、前記確認の結果を、出力インターフェイスに出力するステップと、を備えたことを特徴とする、添付物を伴う電子申請データの管理方法にかかる。
【０００９】
その他、本願が開示する課題、及びその解決方法は、発明の実施の形態の欄、及び図面により明らかにされる。
【発明の効果】
【００１０】
本発明によれば、業務を煩雑化することなく、良好なセキュリティ性を確保可能とする添付物を伴う電子申請データの管理システムおよび方法を提供できる。
【発明を実施するための最良の形態】
【００１１】
以下に本発明の実施形態について図面を用いて詳細に説明する。図１は本実施形態における添付物を伴う電子申請データの管理システムを含むネットワーク構成図である。  
本実施形態における添付物を伴う電子申請データの管理システムは、図中で電子申請システム１００としている。この電子申請システム１００は、一例として、電子申請を受け付ける自治体が備えるシステムを想定することとする。また他方、この電子申請システム１００に対して申請データの入力、或いは送信を行ってくる入力端末は、一例として、図中の申請データ作成装置１０１を想定する。この申請データ作成装置１０１は、住民など申請者が自宅等で備える装置のみならず、前記電子申請システム１００と直接結ばれた入力インターフェイスである場合も想定できる。勿論、このように、自治体と住民といった適用形態に本発明が限定されることはない。従って、不動産取引、金融取引といった、各種添付物を伴う電子申請が想定される種々の状況に適用することができる。
【００１２】
このような電子申請システム１００は、システム構成として、申請データの入力端末（申請データ作成装置）１０１より申請データの入力を受け付ける申請データチェック部１０３と、申請データに対し、申請データ毎の鍵による電子署名を行って、電子署名データを生成する電子署名データ作成部１０５と、前記電子署名データを２次元コード化する２次元コード生成部１０９とを備えている。
【００１３】
また、受け付けた申請データおよび生成した電子署名データを、申請データベース１１１に格納する申請データ格納部１０４と、前記２次元コードを含む申請データの受付結果を、前記入力端末１０１に送信する受付結果送信部１０６とを備えている。
【００１４】
上述の構成各部の処理により入力端末１０１に送られた２次元コードは、当該入力端末１０１において、例えば申請データの印刷装置により添付物にプリントされる。或いは、所定の印刷媒体にプリントされた上で、添付物に付されることとなる。こうして、２次元コード化された電子署名データが付された添付物は、前記自治体に対する申請の添付物として自治体側に提出されるのである。
【００１５】
自治体の電子申請システム１００では、前記２次元コード化された電子署名データが付された添付物より、２次元コードリーダが読み取った電子署名データを、前記２次元コードリーダより取得する。そのため２次元コード取得部１１０を備えている。
【００１６】
また、前記２次元コード取得部１１０が取得した電子署名データを、該当申請データの鍵で復号化できるか判定し、添付物と申請データとの関連性を確認する関連確認部１０７と、前記関連確認部１０７による確認の結果を、出力インターフェイスに出力する出力部１１２とを備えている。
【００１７】
また、更に、前記２次元コードリーダより取得した電子署名データを、該当申請データの鍵で復号化して、電子署名データに含まれる申請データのハッシュ値を抽出する復号化部１１３と、前記申請データベース１１１において前記添付物に対応する申請データを抽出して、当該申請データのハッシュ値を計算し、当該ハッシュ値と前記復号化部１１３が抽出したハッシュ値とが同一か判定する改ざん検証部１１４とを備えるものとする。
【００１８】
上述した各構成部は、添付物における電子署名データの格納を２次元コードに対して行う状況に対応したものである。一方、電子署名データの格納を添付物付帯のＩＣチップに対して行う場合も想定できる。
【００１９】
この場合、前記申請データチェック部１０３は、上述した同部の機能に代えて、申請データの入力端末１０１より、当該入力端末１０１が添付物または添付物提出書の記載情報に対し、対応する申請データ毎の鍵による電子署名を行って生成した電子署名データ、対応する申請データ、および添付物または添付物提出書に付帯のＩＣチップのチップＩＤを受け付ける機能を備えるものとする。
【００２０】
また同様に申請データ格納部１０４は、上述した同部の機能に代えて、前記申請データおよび電子署名データと、前記チップＩＤとの紐付けを行って、申請データベース１１１に格納する機能を備えるものとする。
【００２１】
また、２次元コード取得部１１０に代えて、電子署名データがＩＣチップに格納された添付物または添付物提出書よりＩＣチップリーダが読み取った電子署名データを、前記ＩＣチップリーダより取得する電子署名データ取得部１１０を備えるものとする。
【００２２】
また、前記復号化部１１３は、上述した同部の機能に代えて、前記ＩＣチップリーダより取得した電子署名データを、該当申請データの鍵で復号化して、電子署名データに含まれる申請データのハッシュ値を抽出する機能を備える。
【００２３】
更に、同様に前記改ざん検証部１１４は、上述した同部の機能に代えて、前記申請データベース１１１において、前記チップＩＤをキーとして添付物に対応する申請データを抽出し、当該申請データのハッシュ値を計算し、当該ハッシュ値と前記復号化部１１３が抽出したハッシュ値とが同一か判定する機能を有する。
【００２４】
また、申請データや添付物の受付が完了した際に、申請データベース１１１における該当申請に対応するレコードについて、例えば受付完了のフラグをたてて管理するといった受付完了設定部１０８も備わっている。
【００２５】
なお、これまで示した構成各部は、電子申請システム１００においてハードウェアとして実現してもよいし、ＨＤＤなどの適宜な記憶装置に格納したプログラムとして実現するとしてもよい。この場合、電子申請システム１００の演算装置がプログラム実行に合わせて記憶装置より該当プログラムをメモリに読み出して、これを実行することとなる。
【００２６】
続いて、申請データベース１１１についてそのデータ構造を説明しておく。図２は本実施形態における申請データベース例を示す図である。申請データベース１１１は、申請データ毎に振られた申請データ番号をキーとして、申請日、申請者情報、電子署名データ、申請内容、添付物（添付資料種類）、受付日、受付番号、処理担当者、処理完了日、申請者通知の未済情報、といった情報が関連づけされたレコードが蓄積された構造となっている。当該申請データベース１１１においては、入力端末１０１より電子申請を受け付ける毎に、このようなレコードが格納されている。
【００２７】
なお、前記電子申請システム１００と入力端末１０１とを、インターネットなどのネットワークを介して結んだ例を示したが、これに限定されることなく、例えば電子申請システム１００に入力端末１０１を一体に備えるといった例も想定できる。
【００２８】
更に、前記ネットワークに関しては、ＬＡＮやインターネットの他、専用回線やＷＡＮ（Wide Area Network）、電灯線ネットワーク、無線ネットワーク、公衆回線網、携帯電話網など様々なネットワークを採用することも出来る。また、ＶＰＮなど仮想専用ネットワーク技術を用いれば、インターネットを採用した際にセキュリティ性を高めた通信が確立され好適である。
【００２９】
次に、本実施形態の添付物を伴う電子申請データの管理方法の実際手順について説明する。なお、以下で説明する添付物を伴う電子申請データの管理方法に対応する各種動作は、電子申請システム１００におけるメモリ等の記憶手段が備えるプログラムによって実現される。そして、このプログラムは、以下に説明される各種の動作を行うためのコードから構成されており、前記構成各部の機能を実装したものとなる。
【００３０】
図３は本実施形態の添付物を伴う電子申請データの管理方法の概要１を示す図であり、図４は本実施形態の添付物を伴う電子申請データの管理方法の処理手順例１を示すフロー図である。図３，４に示すように、添付物における電子署名データの格納を２次元コードに対して行う状況について説明する。まず、前記入力端末１０１（申請データ作成装置）では、申請者により、申請データの入力・作成が行われる。作成された申請データは、当該入力端末１０１より、前記電子申請システム１００（図３中では申請受付サーバ）に送信される（ｓ１００１）。
【００３１】
一方、電子申請システム１００では、前記申請データチェック部１０３において、この申請データの入力を受け付けて、例えば本人認証やデータ形式のチェックなどを実行する（ｓ１００２）。チェックがなされた申請データは、電子署名データ作成部０５により、申請データ毎の鍵による電子署名が行われる。この処理によって、電子署名データが生成される。また、この電子署名データは、２次元コード生成部１０９により、２次元コード化する（ｓ１００３）。本実施形態においては、２次元コードとして示したが、同様の情報容量とセキュリティ性とを発現するコードであれば、採用可能である。
【００３２】
こうして得られた申請データおよび電子署名データは、申請データ格納部１０４が、申請データベース１１１に格納する（ｓ１００４）。２次元コードを含む申請データの受付結果は、受付結果送信部１０６が前記入力端末１０１に送信する（ｓ１００５）。
【００３３】
また、前記の格納にさいして、申請データベース１１１における該当申請データに対し、状態フラグをたてることができる。この状態フラグは、申請処理の進行状況に応じて設定するフラグであり、例えば、申請受付時に、「受付済み」、入力端末１０１に２次元コード（電子署名データ）と共に返信した際に「２次元コード送信済み」といった具合に変遷させることができる。
【００３４】
入力端末１０１では、電子申請システム１００より送信されてきた、２次元コード化された電子署名データを受信し（ｓ１００６）、適宜な印刷装置により添付物に出力する（ｓ１００７）。また、こうして２次元コードが出力された添付物は、申請者より電子申請システム１００の運営者たる自治体側に提出される。
【００３５】
一方、自治体側では、この添付物を受領する。そしてここにおける電子申請システム１００の２次元コード取得部１１０が、２次元コード化された電子署名データが付された添付物より２次元コードリーダが読み取った電子署名データを、前記２次元コードリーダより取得する（ｓ１００８）。
【００３６】
前記２次元コード取得部１１０が取得した電子署名データは、関連確認部１０７において、該当申請データの鍵で復号化できるか判定し、添付物と申請データとの関連性を確認される。つまり、申請データの鍵で復号化できない場合は、電子署名データ（添付物と読み替えられる）と申請データとが対応していない、関係のないものであると判断できるわけである。
【００３７】
復号化できる場合、復号化部１１３が、前記２次元コードリーダより取得した電子署名データを、該当申請データの鍵で復号化して、電子署名データに含まれる申請データのハッシュ値を抽出する。そして、改ざん検証部１１４が、前記申請データベース１１１において前記添付物に対応する申請データを抽出して、当該申請データのハッシュ値を計算し、当該ハッシュ値と前記復号化部１１３が抽出したハッシュ値とが同一か判定する（ｓ１００９）。
【００３８】
前記改ざん検証部１１４の判定の結果は出力部１１２において出力するとともに、当該結果が改ざんされていない真性なものである場合、該当申請データおよび電子署名データを、申請データベース１１１に格納し、処理は終了する。
【００３９】
一方、電子署名データの格納を添付物付帯のＩＣチップに対して行う場合も想定できる。図５は本実施形態の添付物を伴う電子申請データの管理方法の概要２を示す図であり、図６は本実施形態の添付物を伴う電子申請データの管理方法の処理手順例２を示すフロー図である。
【００４０】
まず、前記入力端末１０１（申請データ作成装置）では、申請者により、申請データの入力・作成が行われる。この処理は、添付物または添付物提出書の記載情報に対し、対応する申請データ毎の鍵による電子署名を行って電子署名データを生成する処理が含まれる。申請データと電子署名データ、ならびに添付物または添付物提出書に付帯のＩＣチップのチップＩＤは、当該入力端末１０１より、前記電子申請システム１００（図５中では申請受付サーバ）に送信される（ｓ２０００）。
【００４１】
一方、電子申請システム１００では、前記申請データチェック部１０３において、この申請データらの入力を受け付けて、例えば本人認証やデータ形式のチェックなどを実行する（ｓ２００１）。チェックがなされた申請データおよび電子署名データは、申請データ格納部１０４が、前記チップＩＤとの紐付けを行って申請データベースに格納する（ｓ２００２）。こうして入力端末１０１より受け付けた結果については、受付結果送信部１０６が、前記入力端末に送信する（ｓ２００３）。
【００４２】
一方、入力端末１０１では、この受付結果を受信する（ｓ２００４）。そして、受付結果や電子署名データは、ＩＣチップリーダライタが添付物または添付物提出書に付帯のＩＣチップに書き込みを行う（ｓ２００５）。こうして電子署名データ等がＩＣチップに書き込みされた添付物らは、申請を受け付ける側である自治体に提出されることとなる。
【００４３】
他方、この自治体における電子申請システム１００は、電子署名データ取得部１１０において、電子署名データがＩＣチップに格納された添付物または添付物提出書（申請者より提出されたもの）よりＩＣチップリーダが読み取った電子署名データを、前記ＩＣチップリーダより取得するのである（ｓ２００６）。
【００４４】
また、電子申請システム１００における関連確認部１０７は、前記電子署名データ取得部１１０が取得した電子署名データを、対応する申請データの鍵で復号化できるか判定し、添付物と申請データとの関連性を確認する。つまり、申請データの鍵で復号化できない場合は、電子署名データ（添付物と読み替えられる）と申請データとが対応していない、関係のないものであると判断できるわけである。
【００４５】
前記復号化ができる場合、前記復号化部１１３が、前記ＩＣチップリーダより取得した電子署名データを、該当申請データの鍵で復号化して、電子署名データに含まれる申請データのハッシュ値を抽出する。更に、改ざん検証部１１４が、前記申請データベース１１１において、前記チップＩＤをキーとして添付物に対応する申請データを抽出し、当該申請データのハッシュ値を計算し、当該ハッシュ値と前記復号化部が抽出したハッシュ値とが同一か判定する（ｓ２００７）。
【００４６】
前記改ざん検証部１１４の判定の結果は出力部１１２において出力するとともに、当該結果が改ざんされていない真性なものである場合、該当申請データおよび電子署名データを、申請データベース１１１に格納し、処理は終了する。
【００４７】
本発明によれば、業務を煩雑化することなく、良好なセキュリティ性を確保可能とする添付物を伴う電子申請データの管理システムおよび方法を提供できる。
【００４８】
以上、本発明の実施の形態について、その実施の形態に基づき具体的に説明したが、これに限定されるものではなく、その要旨を逸脱しない範囲で種々変更可能である。
【図面の簡単な説明】
【００４９】
【図１】本実施形態における添付物を伴う電子申請データの管理システムを含むネットワーク構成図である。
【図２】本実施形態における申請データベース例を示す図である。
【図３】本実施形態の添付物を伴う電子申請データの管理方法の概要１を示す図である。
【図４】本実施形態の添付物を伴う電子申請データの管理方法の処理手順例１を示すフロー図である。
【図５】本実施形態の添付物を伴う電子申請データの管理方法の概要２を示す図である。
【図６】本実施形態の添付物を伴う電子申請データの管理方法の処理手順例２を示すフロー図である。
【符号の説明】
【００５０】
１００  添付物を伴う電子申請データの管理システム、電子申請システム
１０３  申請データチェック部
１０５  電子署名データ作成部
１０６  受付結果送信部
１０７  関連確認部、署名データ照合部
１０８  受付完了設定部
１１０  ２次元コード取得部
１１２  出力部
【図１】
2005173975.tif 000003
【図２】
2005173975.tif 000004
【図３】
2005173975.tif 000005
【図４】
2005173975.tif 000006
【図５】
2005173975.tif 000007
【図６】
2005173975.tif 000008